(57)【特許請求の範囲】
【請求項１】
上下縁に形成された係合連結部にて互いに連結された複数のスラットより構成されるスラットカーテンの昇降を案内するガイド溝の少なくとも一方の開口縁部に、該ガイド溝の開口からガイド溝の奥方向に向いて延出する係合条片が配設され、該係合条片とガイド溝の側壁とでガイド溝の奥方向に開口する溝が形成されたガイドレールと、
基部と爪部とが直角をなして一体形成された略Ｌ字形状に形成されているとともに、爪部の先端縁がさらに直角に折曲形成されて鉤形状に形成された規制爪片を具備し、該規制爪片は、前記ガイドレールのガイド溝内を移動する前記スラットの端部に前記基部が固定されて設けられ、該スラットの板面より突出するとともに、先端縁が前記係合条片の延出方向と逆の方向に向いて延出し、前記ガイド溝内の前記溝と係脱自在となることを特徴とするシャッターにおけるスラットカーテンの抜止構造。
【請求項２】
上下縁に形成された係合連結部にて互いに連結された複数のスラットより構成されるスラットカーテンの昇降を案内するガイド溝の少なくとも一方の開口縁部に、該ガイド溝の開口からガイド溝の奥方向に向いて延出する係合条片が配設され、該係合条片とガイド溝の側壁とでガイド溝の奥方向に開口する溝が形成されたガイドレールと、
スラットの端部を延出形成させるとともに、その延出した端部を折曲して、その先端縁をガイドレール内の前記係合条片の延出方向と逆の方向に延出するように略鉤状に形成した規制爪片と、を具備し、前記規制爪片の先端縁が前記ガイド溝内の前記溝と係脱自在となることを特徴とするシャッターにおけるスラットカーテンの抜止構造。
【請求項３】
上下縁に形成された係合連結部にて互いに連結された複数のスラットより構成されるスラットカーテンの昇降を案内するガイド溝の少なくとも一方の開口縁部に、該ガイド溝の開口からガイド溝の奥方向に向いて延出する係合条片が配設され、該係合条片とガイド溝の側壁とでガイド溝の奥方向に開口する溝が形成されたガイドレールと、
スラットの端部における板面を、一側縁を残して打ち抜き、自由端縁である先端縁を該板面より突出させるように折曲形成させ、この先端縁をさらに折曲して形成した規制爪片と、を具備し、前記規制爪片の先端縁が前記ガイド溝内の前記溝と係脱自在となることを特徴とするシャッターにおけるスラットカーテンの抜止構造。
【発明の詳細な説明】
【０００１】
【発明の属する技術分野】
本発明は、スラットカーテンが風圧などによってガイドレールから抜け出すのを防止するシャッターにおけるスラットカーテンの抜止構造に関するものである。
【０００２】
【従来の技術】
シャッターのスラットカーテンが、閉鎖状態の際、風などの外力によって撓み、スラットカーテンの昇降の案内を行うガイドレールから両側縁が抜け出て外れるのを防止する抜け止め防止構造については、従来、種々の公知技術が知られている。
【０００３】
例えば、実開昭６２−８５６８８号公報に開示されている構造では、スラットカーテンを構成するスラットの両側端部に、ガイドレール内へ突出する先端がＬ字状に折曲形成されている抜止爪を設け、スラットカーテンが撓んだ際に、この抜止爪をガイドレールの内縁の突条部に係合させることで、抜け止めとさせるようになっている。
【０００４】
【発明が解決しようとする課題】
しかしながら、上述した従来の抜け止め防止構造では、ガイドレールが変形しないことを前提としているが、このガイドレールが薄肉なアルミ型材にて構成されている場合、スラットカーテンの撓みに影響されてガイドレールが変形することがある。
【０００５】
すなわち、このスラットカーテンの撓みによりガイドレールの開口溝幅が拡張されてしまい、ガイドレール内の突条部とスラットカーテンの抜止爪との係合が行われず、スラットカーテンがガイドレールより抜け出てしまうという問題があった。
【０００６】
そこで本発明は、上記問題点を解消するために、風などの外力に対してスラットカーテンが撓んだ際に、このスラットカーテンがガイドレールから抜け出すことがないシャッターにおけるスラットカーテンの抜止構造を提供することを目的としている。
【０００７】
【課題を解決するための手段】
次に、上記の課題を解決するための手段を、実施の形態に対応する図面を参照して説明する。
この発明のシャッターにおけるスラットカーテンの抜止構造は、図１乃至図３、図６、又は、図７の実施の形態に示されるように、上下縁に形成された係合連結部２１，２２にて互いに連結された複数のスラット２より構成されるスラットカーテン１の昇降を案内するガイド溝９の少なくとも一方の開口縁部１０に、該ガイド溝９の開口からガイド溝９の奥方向に向いて延出する係合条片１３が配設され、該係合条片１３とガイド溝９の側壁とでガイド溝９の奥方向に開口する溝１４が形成され、断面略Ｇ字状に形成されたガイドレール８と、
基部４と爪部５とが直角をなして一体形成された略Ｌ字形状に形成されているとともに、爪部５の先端縁６がさらに直角に折曲形成されて鉤形状に形成された規制爪片３を具備し、該規制爪片３は、前記ガイドレール８のガイド溝９内を移動する前記スラット２の端部２ａに前記基部４が固定されて設けられ、該スラット２の板面より突出するとともに、先端縁６が前記係合条片１３の延出方向と逆の方向に向いて延出し、前記ガイド溝９内の前記溝１４と係脱自在となることを特徴としている。
また、図４の実施の形態に示すように、規制爪片３を、スラット２の端部２ａを延出形成させるとともに、その延出した端部２ａを折曲して、その先端縁６をガイドレール８内の前記係合条片１３の延出方向と逆の方向に延出するように略鉤状に形成させることができる。
また、図５の実施の形態に示すように、規制爪片３を、スラット２の端部２ａにおける板面を、一側縁を残して打ち抜き、自由端縁である先端縁６を該板面より突出させるように折曲形成させ、この先端縁６をさらに折曲して形成させることができる。
【０００８】
このような構成により、風などの外力によってスラットカーテン１が撓んだ場合、スラットカーテン１のスラット２の端部２ａに設けられた規制爪片３と、ガイドレール８内の溝１４とが、確実に係合しあい、スラットカーテン１がガイドレール８から抜け出すことがない。
【０００９】
【発明の実施の形態】
図１は本発明によるシャッターにおけるスラットカーテンの抜止構造の実施の形態を示す分解斜視図、図２は同平断面図である。
【００１０】
まず、シャッターのスラットカーテン１は、複数の横長な略短冊状のスラット２で構成されており、各スラット２の上下端縁部に形成されている係合連結部としてのカール部２１，２２にて互いが回動自在となるように上下に連続して連結されて構成されている。
【００１１】
連結された各スラット２の所定枚数毎の複数枚には、左右両端２ａに規制爪片３が設けられている。
ここで、規制爪片３が設けられる所定枚数毎の複数枚とは、スラットカーテン１を巻き取った状態で、各巻層における隣り合う巻層とならない枚数毎の複数枚のスラット２とされることが好ましい。
【００１２】
この規制爪片３は、例えば、ガラス繊維が混入された合成樹脂などよりなり、図１及び図２に示すように、基部４と爪部５とが直角をなして一体形成された略Ｌ字形状に形成されているとともに、爪部５の先端縁６がさらに直角に折曲形成されて、鉤形状に形成されている。
【００１３】
そして、この規制爪片３は、スラット２の端部２ａに、基部４をリベットやステイプル、接着や溶着などの固定手段７にて固定され設けられる。
固定された状態においては、爪部５が屋内側となるスラット２の面に対して突出するように固定されるとともに、先端縁６の向きがスラット２の中心方向となるように設定される。
なお、本実施の形態では、爪部５の基部４寄りを厚肉に形成している。
【００１４】
次に、上記スラットカーテン１の昇降を案内する左右一対のガイドレール８は、建物などの開口の左右縁部に垂直に立設され、図１に示すように、それぞれ互いに向き合う一側が開口し、ガイド溝９とされて断面略コ字状に形成されている。
【００１５】
また、このガイドレール８のガイド溝９の開口両縁部１０，１１における対向する内面には、取付溝部１２が形成され、スラットカーテン１が昇降する際の擦れ防止及び防音のためのモヘア（図示せず）などが設けられている。
【００１６】
さらに、このガイドレール８のガイド溝９における屋内側となる一方の開口縁部１０には、前記取付溝部１２と一体となる係合条片１３が設けられている。
【００１７】
この係合条片１３は、ガイド溝９内において、ガイド溝９の開口側からガイド溝９の奥方向に向いて延出するように形成されるとともに、ガイドレール８の長手方向に沿って連続して形成されている。
【００１８】
そして、この係合条片１３とガイド溝９の内側壁にて、奥方向に開口する小幅な溝１４が形成される。
【００１９】
従ってこのように構成されたスラットカーテンの抜止構造では、通常の動作時では、図２に示すように、スラットカーテン１の両端部２ａは左右各ガイドレール８のガイド溝９内に案内されて、昇降（開閉）動作が行われる。
このとき、スラットカーテン１の規制爪片３の先端縁６と、ガイドレール８の係合条片１３とは、それぞれ逆方向に延出するような略向き合う位置関係で互いに係合することなく、ガイドレール８内をスラットカーテン１が移動する。
【００２０】
そして、閉鎖状態となっているスラットカーテン１に、風などの外力が加わり、スラットカーテン１が煽られ撓むと、図３に示すように、スラット２が湾曲し、スラット２の端部２ａに設けられている規制爪片３の先端縁６が、ガイドレール８のガイド溝９内の係合条片１３による溝１４内に入り互いに係合する。
【００２１】
この抜止構造によれば、規制爪片３と係合条片１３とがそれぞれ断面鉤状に形成されているので、互いに噛み合うように係合することとなり、確実にスラットとガイドレール８とが係合状態となって、風などの外力でスラットカーテン１が撓んでも、スラット２の端部２ａがガイドレール８から抜け出てしまうのを防止される。
【００２２】
特に、風が強い際にスラット２の撓み量が大きくなり、ガイドレール８の側壁をも撓ませてしまう（図３参照）場合であっても、スラット２の規制爪片３が係合条片１３の溝１４内に係合するので、ガイドレール８からのスラット２の抜け出しを完全に防止することが可能となる。
【００２３】
また、スラット２の厚さ方向に大きく突出せずに規制爪片３を構成させることが可能なことから、ガイドレール８の幅を拡張せずに抜止構造を構成することが可能となり、建物側へのガイドレール取付面積の省スペース化を図ることが可能となる。
【００２４】
なお、上述した実施の形態では、規制爪片３を、スラット２と別体構造とした例について述べたが、この規制爪片３は、スラット２と一体な構造としてもよい。
【００２５】
すなわち、図４に示すように、スラット２の端部２ａを翼状に延出形成させるとともに、その延出した翼状端部２ａを折曲して、先端縁６をガイドレール８内の係合条片１３の延出方向と逆の略対向方向に延出するように略鉤状に形成し、規制爪片３とさせる。
また、スラット２の端部２ａにおける板面をプレス加工などの処理で、図５に示すように、一側縁を残して打ち抜き、自由端縁側である先端縁６を板面より突出させるように折曲形成させ、この先端縁６をさらに折曲し規制爪片３としてもよい。
【００２６】
また、上述した実施の形態において、スラット２の長さ方向（左右幅方向）にスラット端縁より突出する規制爪片３の長さが短く設定されているが、図６に示すように、スラット２の端縁より外方に延出させ設ける構成としてもよい。
これによれば、スラットカーテン１を巻き取った状態で、各スラット２同士重なりあって巻き取られることとなるので、巻径が大きくならなくなる。
【００２７】
さらに、上述した実施の形態では、抜止構造を構成する規制爪片３が設けられるスラット２の形状を上下縁の係合連結部がカール部２１，２２とされた例について述べたが、図７に示すように、消音材が充填される中空部２ｂを有し、係合連結部として上縁にカール部２１が形成され、下縁に連結溝２２が形成されたスラット２に、この規制爪片３を固定させる構成としてもよい。
この場合、規制爪片３の基部４を中空部２ｂに嵌入させ固定させる。
【００２８】
また、上述した実施の形態では、規制爪片３の爪部５を屋内側方向に突出させた構成について述べたが、屋外側に突出させてもよく、この場合は、ガイドレール８の係合条片１３の設けられる位置を屋外側の側壁とさせる。
なお、ガイドレール８のガイド溝９内の係合条片１３を両側壁に設け、それぞれに溝１４を形成させて、スラット２の端部２ａにおける規制爪片３の爪部５の突出方向を、スラット一枚毎に、屋内側と屋外側との両方向となるように構成させてもよい。
【００３０】
また、上述した実施の形態では、ガイドレール８のガイド溝９内に、係合条片１３をガイドレール８と一体に形成させた例について述べたが、それぞれ別体構成として、係合条片１３をガイドレール８に固定させる構造としてもよい。
【００３１】
【発明の効果】
以上説明したように本発明によるシャッターにおけるスラットカーテンの抜止構造では、閉鎖状態となっているスラットカーテンに、風などの外力が加わり、スラットカーテンが煽られ撓んだ際に、スラットの端部に設けられている規制爪片の先端縁が、ガイドレールのガイド溝内に配設された係合条片による溝内に入り互いに係合するので、スラットの端部がガイドレールのガイド溝から抜け出て外れてしまうのを防止することができるという効果がある。
【００３２】
すなわち、スラットに設けられている規制爪片と、ガイドレールの係合条片との延出方向が互いに向き合う逆方向とされている略鉤状に形成されていることから、規制爪片の先端縁が、係合条片による溝内に、互いに噛み合うように係合することとなり、確実にスラットとガイドレールとが係合状態となって、スラットの端部がガイドレールより容易に抜け出さないという効果を得られる。
【００３３】
特に、風が強い際にスラットの撓み量が大きくなり、ガイドレールの側壁をも撓ませてしまう場合であっても、スラットの規制爪片が係合条片の溝内に係合するので、ガイドレールからのスラットの抜け出しを完全に防止することができるという効果がある。
【図面の簡単な説明】
【図１】本発明によるシャッターにおけるスラットカーテンの抜止構造の実施の形態を示す分解斜視図
【図２】同抜止構造の平断面図
【図３】同抜止構造の動作を示す平断面図
【図４】他の実施の形態による抜止構造の斜視図
【図５】他の実施の形態による抜止構造の斜視図
【図６】他の実施の形態による抜止構造の平断面図
【図７】他の実施の形態による抜止構造の分解斜視図
【符号の説明】
１…スラットカーテン
２…スラット
２ａ…端部
３…規制爪片
６…先端縁
８…ガイドレール
９…ガイド溝
１０，１１…開口縁部
１３…係合条片
１４…溝
２１，２２…係合連結部
【図１】
0003546552.tif 000002
【図２】
0003546552.tif 000003
【図３】
0003546552.tif 000004
【図４】
0003546552.tif 000005
【図５】
0003546552.tif 000006
【図６】
0003546552.tif 000007
【図７】
0003546552.tif 000008